(57)【特許請求の範囲】
【請求項１】
印刷しようとする画像データを受け付ける受付手段と、
異なる描画方式による出力結果の違いの有無を検査する場合に、第１のページ記述言語で表現された画像データを第２のページ記述言語で表現された画像データに変換してから印刷データを作成する第１の描画方式と、第１のページ記述言語で表現された画像データから直接印刷データを作成する第２の描画方式とにより、前記受付手段により受け付けた第１のページ記述言語で表現された画像データの描画処理をそれぞれ行って２種類の印刷データを生成する描画処理手段と、
前記描画処理手段において生成された２種類の印刷データを画素単位で比較し、比較する画素どうしのずれが１画素以内の場合に、該２種類の印刷データが同一であるとの比較結果を出力する比較手段と、
前記比較手段における比較結果を通知する通知手段と、
を備えた画像形成装置。
【請求項２】
前記描画処理手段において生成された印刷データに基づいて画像出力装置に画像を出力させる出力制御手段をさらに備え、
前記出力制御手段は、前記比較手段において２種類の印刷データが同一であるとの比較結果が得られた場合、前記第２の描画方式により描画処理された印刷データに基づいて画像出力装置に画像を出力させる請求項１記載の画像形成装置。
【請求項３】
前記描画処理手段において生成された印刷データに基づいて画像を出力する出力制御手段をさらに備え、
前記出力制御手段は、前記比較手段において２種類の印刷データが同一でないとの比較結果が得られた場合、前記第１の描画方式により描画処理された印刷データに基づいて画像出力装置に画像を出力させる請求項１記載の画像形成装置。
【請求項４】
前記第１のページ記述言語で表現された画像データがＰＤＦデータであり、前記第２のページ記述言語で表現された画像データがＰｏｓｔＳｃｒｉｐｔデータである請求項１から３のいずれか１項記載の画像形成装置。
【請求項５】
印刷しようとする画像データを受け付けるステップと、
異なる描画方式による出力結果の違いの有無を検査する場合に、第１のページ記述言語で表現された画像データを第２のページ記述言語で表現された画像データに変換してから印刷データを作成する第１の描画方式と、第１のページ記述言語で表現された画像データから直接印刷データを作成する第２の描画方式とにより、受け付けた第１のページ記述言語で表現された画像データの描画処理をそれぞれ行って２種類の印刷データを生成するステップと、
生成された２種類の印刷データを画素単位で比較し、比較する画素どうしのずれが１画素以内の場合に、該２種類の印刷データが同一であるとの比較結果を出力するステップと、
生成された２種類の印刷データの比較結果を通知するステップとをコンピュータに実行させるためのプログラム。
【発明の詳細な説明】
【技術分野】
【０００１】
本発明は、画像形成装置およびプログラムに関する。
【背景技術】
【０００２】
特許文献１には、異なるアプリケーションプログラムまたはオペレーションシステムで生成された印刷データであっても、最適な描画処理を行うことができる印刷装置が開示されている。
【先行技術文献】
【特許文献】
【０００３】
【特許文献１】特開２００７−１４８５７８号公報
【発明の概要】
【発明が解決しようとする課題】
【０００４】
本発明の目的は、同一の画像データを異なる描画方式で処理可能な場合に、出力結果が異なるか否かを実際に出力処理を行うことなく事前に確認することが可能な画像形成装置およびプログラムを提供することである。
【課題を解決するための手段】
【０００５】
［画像形成装置］
請求項１に係る本発明は、印刷しようとする画像データを受け付ける受付手段と、
異なる描画方式による出力結果の違いの有無を検査する場合に、第１のページ記述言語で表現された画像データを第２のページ記述言語で表現された画像データに変換してから印刷データを作成する第１の描画方式と、第１のページ記述言語で表現された画像データから直接印刷データを作成する第２の描画方式とにより、前記受付手段により受け付けた第１のページ記述言語で表現された画像データの描画処理をそれぞれ行って２種類の印刷データを生成する描画処理手段と、
前記描画処理手段において生成された２種類の印刷データを画素単位で比較し、比較する画素どうしのずれが１画素以内の場合に、該２種類の印刷データが同一であるとの比較結果を出力する比較手段と、
前記比較手段における比較結果を通知する通知手段とを備えた画像形成装置である。
【０００６】
請求項２に係る本発明は、前記描画処理手段において生成された印刷データに基づいて画像出力装置に画像を出力させる出力制御手段をさらに備え、
前記出力制御手段は、前記比較手段において２種類の印刷データが同一であるとの比較結果が得られた場合、前記第２の描画方式により描画処理された印刷データに基づいて画像出力装置に画像を出力させる請求項１記載の画像形成装置である。
【０００７】
請求項３に係る本発明は、前記描画処理手段において生成された印刷データに基づいて画像を出力する出力制御手段をさらに備え、
前記出力制御手段は、前記比較手段において２種類の印刷データが同一でないとの比較結果が得られた場合、前記第１の描画方式により描画処理された印刷データに基づいて画像出力装置に画像を出力させる請求項１記載の画像形成装置である。
【００１０】
請求項４に係る本発明は、前記第１のページ記述言語で表現された画像データがＰＤＦデータであり、前記第２のページ記述言語で表現された画像データがＰｏｓｔＳｃｒｉｐｔデータである請求項１から３のいずれか１項記載の画像形成装置である。
【００１１】
［プログラム］
請求項５に係る本発明は、印刷しようとする画像データを受け付けるステップと、
異なる描画方式による出力結果の違いの有無を検査する場合に、第１のページ記述言語で表現された画像データを第２のページ記述言語で表現された画像データに変換してから印刷データを作成する第１の描画方式と、第１のページ記述言語で表現された画像データから直接印刷データを作成する第２の描画方式とにより、受け付けた第１のページ記述言語で表現された画像データの描画処理をそれぞれ行って２種類の印刷データを生成するステップと、
生成された２種類の印刷データを画素単位で比較し、比較する画素どうしのずれが１画素以内の場合に、該２種類の印刷データが同一であるとの比較結果を出力するステップと、
生成された２種類の印刷データの比較結果を通知するステップとをコンピュータに実行させるためのプログラムである。
【発明の効果】
【００１２】
請求項１に係る本発明によれば、同一の画像データを異なる描画方式で処理可能な場合に、出力結果が異なるか否かを実際に出力処理を行うことなく事前に確認することが可能な画像形成装置を提供することができる。
【００１３】
請求項２に係る本発明によれば、請求項１に係る発明により得られる効果に加えて、２種類の印刷データが同一であると判定された場合には、第２の描画方式により描画処理された印刷データに基づく画像を優先して出力することがで可能な画像形成装置を提供することができる。
【００１４】
請求項３に係る本発明によれば、請求項１に係る発明により得られる効果に加えて、２種類の印刷データが同一でないと判定された場合には、第１の描画方式により描画処理された印刷データに基づく画像を優先して出力することがで可能な画像形成装置を提供することができる。
【００１７】
請求項４に係る本発明によれば、ＰＤＦの画像データをＰｏｓｔＳｃｒｉｐｔに変換してから印刷データを作成する場合と、直接印刷データを作成する場合とで、出力結果が異なるか否かを実際に出力処理を行うことなく事前に確認することが可能な画像形成装置を提供することができる。
【００１８】
請求項５に係る本発明によれば、同一の画像データを異なる描画方式で処理可能な場合に、出力結果が異なるか否かを実際に出力処理を行うことなく事前に確認することが可能なプログラムを提供することができる。
【図面の簡単な説明】
【００１９】
【図１】本発明の一実施形態の印刷システムの構成を示すシステム図である。
【図２】本発明の一実施形態の印刷システムにおけるコントローラ１０のハードウェア構成を示すブロック図である。
【図３】本発明の一実施形態の印刷システムにおけるコントローラ１０の機能構成を示すブロック図である。
【図４】本発明の一実施形態の印刷システムにおいて動作モードを設定する際の動作を示すフローチャートである。
【図５】本発明の一実施形態の印刷システムにおける印刷モードの動作を示すフローチャートである。
【図６】本発明の一実施形態の印刷システムにおける検査モードの動作を示すフローチャートである。
【発明を実施するための形態】
【００２０】
[背景]
まず、本発明の理解を助けるために、その背景及び概略を説明する。
【００２１】
従来では、ドキュメントフォーマットおよびページ記述言語として広く使用されているＰＤＦ（Portable Document Format）により表現された画像データ（以下、ＰＤＦデータと称する。）から、ビットマップ形式の印刷データを作成するための描画方式として、ＣＰＳＩ（Configurable PostScript Interpreter）というソフトウェアを用いた描画方式が使用されてきた。しかし、このＣＰＳＩを用いた描画方式では、ＰＤＦデータを一旦ＰｏｓｔＳｃｒｉｐｔ（登録商標）というページ記述言語により表現された画像データ（以下、ＰｏｓｔＳｃｒｉｐｔデータと称する。）に変換し、このＰｏｓｔＳｃｒｉｐｔデータに基づいて描画処理を行って印刷データを生成する必要がある。
【００２２】
このＣＰＳＩを用いた描画方式では、ＰＤＦデータを一旦中間ファイル形式であるＰｏｓｔＳｃｒｉｐｔデータに変換する必要があるため、処理効率が悪いという課題がある。また、ＰｏｓｔＳｃｒｉｐｔデータを格納するための記憶領域が必要であるという問題もある。さらに、ＰＤＦデータをＰｏｓｔＳｃｒｉｐｔデータに変換するために、ＰＤＦに備えられていてもＰｏｓｔＳｃｒｉｐｔで備えられていない機能がある場合には、ＰＤＦで使用可能な機能が制限されてしまう場合があるという問題もある。
【００２３】
そのため、近年では、ＰＤＦデータを直接描画処理して印刷データを作成することが可能なＡＰＰＥ（Adobe PDF Print Engine）というソフトウェアを用いた描画方式が提案されている。
【００２４】
このＡＰＰＥを用いた描画方式では、ＰＤＦデータに基づいて直接印刷データを作成することが可能であるため、ＰＤＦデータの印刷処理を行う場合にはＡＰＰＥを使用する描画方式に移行しつつある。
【００２５】
しかし、ＰＤＦデータをＣＰＳＩにより処理した場合とＡＰＰＥで処理した場合とで出力結果が完全に一致しない場合がある。そのため、ＰＤＦデータの描画方式をいきなりＣＰＳＩからＡＰＰＥに切り替えた場合に、同一の画像データを用いて印刷処理を行ったのに出力結果が異なることになりユーザにとっては看過できない場合もある。
【００２６】
[実施形態]
次に、本発明の実施の形態について図面を参照して詳細に説明する。
【００２７】
図１は本発明の一実施形態の印刷システム（画像形成装置）の構成の一例を示す図である。この印刷システムは、図１に示されるように、前処理装置３と、バッファ装置４と、連続紙に対して印刷を行う印刷装置（画像出力装置）１と、バッファ装置５と、後処理装置６と、コントローラ１０と、端末装置２０とから構成されている。
【００２８】
前処理装置３は、印刷されていない印刷用紙の送り出し等の前処理を行う。後処理装置６は、印刷が終了した印刷用紙の巻き取り等の後処理を行う。バッファ装置４、５は、前処理装置３と印刷装置１との間および、印刷装置１と後処理装置６との間の印刷用紙のテンションの保持等のために設けられている。
【００２９】
端末装置２０は、印刷ジョブ等の印刷指示を生成してネットワーク経由にてコントローラ１０に対して送信する。コントローラ１０は、端末装置２０から送信されてきた印刷指示により印刷装置１の印刷動作を制御する印刷制御装置として機能する。印刷装置１は、コントローラ１０による制御に基づいて印刷指示に応じた画像を連続紙上に出力する。
【００３０】
次に、本実施形態の印刷システムにおけるコントローラ１０のハードウェア構成を、図２を参照して説明する。本実施形態のコントローラ１０は、図２に示されるように、ＣＰＵ１１、メモリ１２、ハードディスクドライブ（ＨＤＤ）等の記憶装置１３、ネットワークを介して端末装置２０との間でデータの送信及び受信を行う通信インタフェース（ＩＦ）部２４、タッチパネルや液晶ディスプレイにより構成されたユーザインタフェース（ＵＩ）装置１５、印刷装置１との間でデータの送受信を行うエンジンＩＦ部１６を有する。そして、これらの構成要素は、制御バス１７を介して互いに接続されている。
【００３１】
ＣＰＵ１１は、メモリ１２または記憶装置１３に格納された印刷制御プログラムに基づいて所定の処理を実行して、コントローラ１０の動作を制御する。
【００３２】
なお、本実施形態では、ＣＰＵ１１は、メモリ１２または記憶装置１３内に格納された制御プログラムを読み出して実行するものとして説明したが、当該プログラムをＣＤ−ＲＯＭ等の搬送可能な記憶媒体に格納してＣＰＵ１１に提供することも可能である。
【００３３】
図３は、上記の制御プログラムが実行されることにより実現されるコントローラ１０の機能構成を示すブロック図である。
【００３４】
本実施形態のコントローラ１０は、図３に示されるように、画像データ受付部３１と、描画処理部３２と、モード設定部３３と、印刷データ格納部３４と、比較処理部３５と、通知部３６と、出力制御部３７とを備えている。
【００３５】
画像データ受付部３１は、端末装置２０から送信されてきた画像データを、印刷しようとする画像データとして受け付ける。
【００３６】
描画処理部３２は、画像データ受付部３１により受け付けられた画像データに対して描画処理を行うことにより、印刷処理を実行可能な印刷情報、つまり、ビットマップデータ等のラスタ形式の印刷データ（ラスタイメージデータ）に変換する。
【００３７】
そして、描画処理部３２は、ＰＤＦデータに対する描画処理を行う場合に、ＣＰＳＩ４１とＡＰＰＥ４２という２つのソフトウェアによる描画方式を選択することができるようになっている。ＣＰＳＩ４１による描画方式（第１の描画方式）では、ＰＤＦ（第１のページ記述言語）で表現された画像データをＰｏｓｔＳｃｒｉｐｔ(第２のページ記述言語）で表現された画像データに変換してから印刷データを作成する。そして、ＡＰＰＥ４２による描画方式（第２の描画方式）では、ＰＤＦで表現された画像データから直接印刷データを作成する。
【００３８】
なお、本実施形態の印刷システムでは、動作モードとして、印刷モードと検査モードという２つのモードが設定可能となっている。印刷モードは、画像データ受付部３１により受け付けられた印刷データに対して描画処理を行って印刷動作を実行する動作モード（動作態様）である。なお、動作モードとして印刷モードが指定された場合、描画処理部３２では、ＰＤＦデータの印刷処理を行う際に、ＣＰＳＩ４１を用いた描画方式、ＡＰＰＥ４２を用いた描画方式のうちの指定された描画方式により印刷データの作成を行う。
【００３９】
そして、検査モードとは、ＣＰＳＩ４１による描画方式、ＡＰＰＥ４２による描画方式という２つの異なる描画方式による出力結果の違いの有無を印刷を実行する前に事前に検査するための動作モード（動作態様）である
【００４０】
動作モードとして検査モードが指定された場合、描画処理部３２は、画像データ受付部３１により受け付けられたＰＤＦで表現された画像データの描画処理を、ＣＰＳＩ４１による描画方式（第１の描画方式）およびＡＰＰＥ４２による描画方式（第２の描画方式）の２つの描画方式によりそれぞれ行って２種類の印刷データを生成する。
【００４１】
モード設定部３３は、動作モードとして印刷モードまたは検査モードのいずれを選択するのかを設定する。また、動作モードとして印刷モードが設定された場合、モード設定部３３は、さらにＰＤＦデータに対する描画処理を、ＣＰＳＩ４１を用いて行うのかＡＰＰＥ４２を用いて行うのかを設定する。さらに、動作モードとして検査モードが設定された場合、モード設定部３３は、検査レベルを高レベルで行うのか、低レベルで行うのかを設定する。なお、この検査レベルの詳細については後述する。
【００４２】
印刷データ格納部３４は、描画処理部３２により描画処理が行われることにより作成された印刷データを格納する。動作モードとして検査モードが指定され、ＣＰＳＩ４１とＡＰＰＥ４２という２つのソフトウェアによる描画方式により２種類の印刷データが作成された場合には、印刷データ格納部３４には、この２種類の印刷データが格納される。
【００４３】
比較処理部３５は、動作モードが検査モードの場合、描画処理部３２において生成された２種類の印刷データをドット（画素）単位で比較する。ここで、比較処理部３５は、モード設定部３３において検査レベルとして高レベルが設定されたのか、低レベルが設定されたのかで異なる比較処理を行う。
【００４４】
検査レベルとして高レベルが設定された場合、比較処理部３５は、比較する２種類の印刷データの全てのドットが同一である場合に、２種類の印刷データが同一であるとの比較結果を出力する。また、検査レベルとして低レベルが設定された場合、比較処理部３５は、２種類の印刷データを比較して、比較する画素どうしのずれが１ドット以内の場合に、２種類の印刷データが同一であるとの比較結果を出力する。
【００４５】
通知部３６は、動作モードとして検査モードが指定された場合、比較処理部３５における比較結果を表示して通知する。なお、通知部３５は、比較処理部３５により２種類の印刷データが一致しないと判定された場合のみ、比較結果を通知するようにしてもよい。そして、その際に、通知部３６は、２つの印刷データによる出力イメージを重ねて表示して、どの部分が異なるかをユーザに通知するようにしてもよい。
【００４６】
出力制御部３７は、描画処理部３２において生成された印刷データに基づいて印刷装置１に画像を出力させる制御を行う。そして、出力制御部３７は、動作モードとして検査モードが指定され、比較処理部３５において２種類の印刷データが同一であるとの比較結果が得られた場合、ＡＰＰＥ４２を用いた描画方式により描画処理された印刷データに基づいて印刷装置１に画像を出力させる。
【００４７】
なお、出力制御部３７は、比較処理部３５において２種類の印刷データが同一でないとの比較結果が得られた場合、ＣＰＳＩ４１を用いた描画方式により描画処理された印刷データに基づいて印刷装置１に画像を出力させるようにしてもよい。
【００４８】
次に、本実施形態の印刷システムの動作を図面を参照して詳細に説明する。
【００４９】
先ず、印刷動作を実行する前にモード設定部３３を介して動作モードを設定する場合の動作を図４のフローチャートを参照して説明する。
【００５０】
モード設定部３３では、最初に、動作モードを印刷モードとするのか検査モードとするのが設定される（ステップＳ１０１）。
【００５１】
ステップＳ１０１において動作モードが印刷モードに設定された場合（ステップＳ１０２においてＹｅｓ）、モード設定部３３では、描画方式をＣＰＳＩ４１を用いた描画方式とするのかＡＰＰＥ４２を用いた描画方式とするのかが設定される（ステップＳ１０３）。
【００５２】
ステップＳ１０１において動作モードが検査モードに設定された場合（ステップＳ１０２においてＮｏ）、モード設定部３３では、比較レベルを高レベルとするのか低レベルとするのかが設定される（ステップＳ１０４）。
【００５３】
次に、本実施形態の印刷システムにおいて、動作モードが印刷モードに設定されている場合の動作を図５のフローチャートを参照して説明する。
【００５４】
この場合、描画処理部３２では、描画方式としてＣＰＳＩ４１を用いた描画方式が指定されているのか、ＡＰＰＥ４２を用いた描画方式が指定されているのかを判定する（ステップＳ２０１）。
【００５５】
ステップＳ２０１においてＣＰＳＩ４１を用いた描画方式が指定されていると判定された場合、描画処理部３２は、ＣＰＳＩ４１を用いて画像データ受付部３１により受け付けられたＰＤＦデータの描画処理を行って印刷データを作成する（ステップＳ２０２）。
【００５６】
ステップＳ２０１においてＡＰＰＥ４２を用いた描画方式が指定されていると判定された場合、描画処理部３２は、ＡＰＰＥ４２を用いて画像データ受付部３１により受け付けられたＰＤＦデータの描画処理を行って印刷データを作成する（ステップＳ２０３）。
【００５７】
そして、描画処理部３２において作成された印刷データは印刷データ格納部３４に格納され、出力制御部３７は、作成された印刷データに基づいた画像が出力されるよう印刷装置１に対する制御を行って印刷処理を実行する（ステップＳ２０４）。
【００５８】
最後に、本実施形態の印刷システムにおいて、動作モードが検査モードに設定されている場合の動作を図６のフローチャートを参照して説明する。
【００５９】
動作モードが検査モードに設定されている場合、描画処理部３２では、画像データ受付部３１により受け付けられたＰＤＦデータに対して、ＣＰＳＩ４１を用いた描画処理を行って印刷データを作成するとともに、ＡＰＰＥ４２を用いた描画処理を行って印刷データを作成する（ステップＳ３０１、Ｓ３０２）。そして、判定フラグが０に初期化される（ステップＳ３０３）。この判定フラグは、２つの描画方式による出力結果が異なる場合には１に設定され、２つの描画方式による出力結果が同一である場合には０に設定されるフラグである。
【００６０】
そして、描画処理部３２において作成された２種類の印刷データは印刷データ格納部３４に格納される。
【００６１】
次に、比較処理部３５は、ＡＰＰＥ４２により作成された印刷データから１ライン分のデータを抽出して、ＣＰＳＩ４１により作成された印刷データの対応するラインのデータと比較する（ステップＳ３０４）。
【００６２】
そして、抽出すべきラインが存在し（ステップＳ３０５においてＮｏ）、比較対象のデータどうしの全てのドットが一致（ステップＳ３０６においてＹｅｓ）する場合には、比較処理部３５は、ＡＰＰＥ４２により作成された印刷データとＣＰＳＩ４１により作成された印刷データとの比較をライン毎に順次繰り返す。
【００６３】
そして、ステップＳ３０６においてあるラインのデータどうしの比較において、全てのドットが一致しなかった場合、比較処理部３５は、比較レベルが高レベルに設定されているか否かを判定し（ステップＳ３０７）、比較レベルが高レベルに設定されている場合には、判定フラグを１に設定する（ステップＳ３１０）。
【００６４】
ステップＳ３０７において比較レベルが低レベルに設定されていると判定された場合には、比較処理部３５は、さらにＣＰＳＩ４１により作成された比較対象の１ライン分のデータを、上下左右にそれぞれ１ドットずらしてＡＰＰＥ４２により作成された１ライン分のデータと比較する（ステップＳ３０８）。
【００６５】
そして、ＡＰＰＥ４２により作成された１ライン分のデータが、上下左右それぞれ１ドットずらされた４パターンのデータのいずれかと一致した場合（ステップＳ３０９においてＹｅｓ）、比較処理部３５は、違いは許容範囲であると判定して、次のラインの比較処理を行う。
【００６６】
また、ステップＳ３０９において、ＡＰＰＥ４２により作成された１ライン分のデータが、４パターンのデータのいずれとも一致しなかった場合、比較処理部３５は、判定フラグを１に設定する（ステップＳ３１０）。
【００６７】
そして、ＡＰＰＥ４２により作成された印刷データから抽出すべきラインが存在しなくなると（ステップＳ３０５においてＹｅｓ）、比較処理部３５は、判定フラグが１に設定されているか否かを判定する（ステップＳ３１１）。
【００６８】
そして、判定フラグが１に設定されている場合には（ステップＳ３１１においてＹｅｓ）、比較処理部３５は、ＣＰＳＩ４１により作成された印刷データとＡＰＰＥ４２により作成された印刷データとが異なる旨の比較結果を出力制御部３７および通知部３６に出力する。
【００６９】
すると、通知部３６では、ＣＰＳＩ４１により作成された印刷データとＡＰＰＥ４２により作成された印刷データとでは、印刷結果が異なるという通知をユーザに行うとともに、２つの印刷結果が異なる場所を表示する（ステップＳ３１２）。
【００７０】
そして、判定フラグが１に設定されていない場合には（ステップＳ３１１においてＮｏ）、出力制御部３７は、ＡＰＰＥ４２により作成された印刷データに基づいて印刷装置１に画像を出力させる（ステップＳ３１３）。
【００７１】
[変形例]
上記実施形態では、ＰＤＦデータの描画処理を行う場合に、ＣＰＳＩ、ＡＰＰＥという異なるソフトウェアにより描画方式で印刷データを作成する場合を用いて説明したが、本発明はこれに限定されるものではなく、他のページ記述言語の画像データを異なる描画方式で描画処理するような場合でも同様に本発明を適用することができるものである。
【符号の説明】
【００７２】
１    印刷装置
３    前処理装置
４、５    バッファ装置
６    後処理装置
１０    コントローラ
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３１    画像データ受付部
３２    描画処理部
３３    モード設定部
３４    印刷データ格納部
３５    比較処理部
３６    通知部
３７    出力制御部
４１    ＣＰＳＩ（Configurable PostScript Interpreter）
４２    ＡＰＰＥ（Adobe PDF Print Engine）
【図１】
0005879851.tif 000002
【図２】
0005879851.tif 000003
【図３】
0005879851.tif 000004
【図４】
0005879851.tif 000005
【図５】
0005879851.tif 000006
【図６】
0005879851.tif 000007